(57)【要約】【課題】タブ部を保護することが可能なコネクタを提供する。【解決手段】前方に開口するフード部２０を有するハウジング本体３０と、タブ部１１が前面から前方に突出するとともに前記ハウジング本体３０に後方から組み付けられるサブハウジング４０と、を備え、前記フード部２０の内側に配されるとともに前記タブ部１１が挿通される挿通孔５１が形成された壁部５２を有するムービングプレート５０と、前記サブハウジング４０の前面には、前記タブ部１１が突出する領域４５の周りに、前方に突出した突片４４が設けられ、前記サブハウジング４０が前記ハウジング本体３０に組み付けられた状態では、前記突片４４の前端が前記壁部５２の壁厚範囲内、又は前記壁部５２より前方に位置する。【選択図】図１０
2019175728.tif 000002
【特許請求の範囲】
【請求項１】
前方に開口するフード部を有するハウジング本体と、
タブ部が前面から前方に突出するとともに前記ハウジング本体に後方から組み付けられるサブハウジングと、
前記フード部の内側に配されるとともに前記タブ部が挿通される挿通孔が形成された壁部を有するムービングプレートと、を備え、
前記サブハウジングの前面には、前記タブ部が突出する領域の周りに、前方に突出した突片が設けられ、前記サブハウジングが前記ハウジング本体に組み付けられた状態では、前記突片の前端が前記壁部の壁厚範囲内、又は前記壁部より前方に位置するコネクタ。
【請求項２】
前記ムービングプレートが、前記壁部の周縁から前方に突出する周壁部を有し、
前記ハウジング本体が、前記フード部と前記周壁部との間に相手側コネクタが嵌合可能な嵌合部を有し、
前記突片が、前記周壁部の外側または内側に重なって配される請求項１に記載のコネクタ。
【請求項３】
前記突片が、前記領域の周りの一部に設けられ、前記周壁部の内側に配されるものである請求項２に記載のコネクタ。
【請求項４】
前記突片が、前記領域の周りに複数設けられ、少なくとも前記領域の四隅に配されている請求項１ないし請求項３のいずれか一項に記載のコネクタ。
【請求項５】
前記サブハウジングが前記ハウジング本体に対して正しく組み付けられる場合に前記突片が嵌合され、前記サブハウジングが前記ハウジング本体に正しく組み付けられない場合に前記突片が嵌合しない嵌合穴が、前記壁部に形成されている請求項１ないし請求項４のいずれか一項に記載のコネクタ。
【請求項６】
前記突片が板状をなし、部分的に厚さ寸法が大きい厚肉部を備えている請求項１ないし請求項５のいずれか一項に記載のコネクタ。
【発明の詳細な説明】
【技術分野】
【０００１】
本発明は、コネクタに関する。
【背景技術】
【０００２】
従来、ハウジング本体にサブハウジングを組み付ける構成のコネクタが知られている。例えば下記特許文献１に記載されたコネクタは、サブハウジングの前面にタブ部が突出して設けられており、サブハウジングは、ハウジング本体に後方から組み付けられる。ハウジング本体には前方に開口するフード部が設けられ、フード部の内側には、サブハウジングをハウジング本体に組み付けた状態で、タブ部の先端が挿通されるムービングプレートが備えられている。
【先行技術文献】
【特許文献】
【０００３】
【特許文献１】特開２００８−２７０１５２号公報
【発明の概要】
【発明が解決しようとする課題】
【０００４】
しかしながら、上記のような構成では、サブハウジングがハウジング本体に組み付けられる前の単体時には、タブ部がサブハウジングの前方でむき出しになっている。このため、サブハウジングをハウジング本体に組み付ける際に、タブ部がハウジング本体に接触する虞がある。タブ部がハウジング本体に接触すると、変形等の虞があるため対策が望まれていた。
【０００５】
本発明は上記のような事情に基づいて完成されたものであって、タブ部を保護することが可能なコネクタを提供することを目的とする。
【課題を解決するための手段】
【０００６】
本発明のコネクタは、前方に開口するフード部を有するハウジング本体と、タブ部が前面から前方に突出するとともに前記ハウジング本体に後方から組み付けられるサブハウジングと、前記フード部の内側に配されるとともに前記タブ部が挿通される挿通孔が形成された壁部を有するムービングプレートと、を備え、前記サブハウジングの前面には、前記タブ部が突出する領域の周りに、前方に突出した突片が設けられ、前記サブハウジングが前記ハウジング本体に組み付けられた状態では、前記突片の前端が前記壁部の壁厚範囲内、又は前記壁部より前方に位置するものである。
【発明の効果】
【０００７】
本発明によれば、サブハウジングをハウジング本体に組み付ける際に、突片によりタブ部がハウジング本体に接触することを防ぐことができるから、タブ部を保護することができる。
【図面の簡単な説明】
【０００８】
【図１】本実施例におけるコネクタであって、相手側コネクタとの正規の嵌合状態を示す断面図
【図２】ムービングプレートが組み付けられた状態のハウジング本体を示す正面図
【図３】ムービングプレートが組み付けられた状態のハウジング本体を示す背面図
【図４】ムービングプレートを示す斜視図
【図５】ムービングプレートを示す正面図
【図６】サブハウジングを示す斜視図
【図７】サブハウジングを示す正面図
【図８】サブハウジングを示す平面図
【図９】サブハウジングを示す側面図
【図１０】ハウジング本体にサブハウジングを組み付ける様子を示す断面図
【図１１】ハウジング本体にサブハウジングが組み付けられた状態を示す断面図
【図１２】相手側コネクタを嵌合する様子を示す断面図
【発明を実施するための形態】
【０００９】
本発明の好ましい形態を以下に示す。
本発明のコネクタは、前記ムービングプレートが、前記壁部の周縁から前方に突出する周壁部を有し、前記ハウジング本体が、前記フード部と前記周壁部との間に相手側コネクタが嵌合可能な嵌合部を有し、前記突片が、前記周壁部の外側または内側に重なって配されるものとしてもよい。このような構成によれば、相手側コネクタとの嵌合時に、相手側コネクタがムービングプレートの周壁部の内面及び外面に摺接するところ、周壁部の外側または内側に突片が重なって配されているから、周壁部の変形を防ぐことができる。
【００１０】
また、本発明のコネクタは、前記突片が、前記領域の周りの一部に設けられ、前記周壁部の内側に配されるものとしてもよい。このような構成によれば、突片が周壁部の外側に配されるものに比して、コネクタをコンパクトにできる。
【００１１】
また、本発明のコネクタは、前記突片が、前記領域の周りに複数設けられ、少なくとも前記領域の四隅に配されているものとしてもよい。このような構成によれば、タブ部が複数の突片によって四方を囲まれるから、タブ部の全周を突片によって一続きに囲わなくてもタブ部を保護できる。
【００１２】
また、本発明のコネクタは、前記サブハウジングが前記ハウジング本体に対して正しく組み付けられる場合に前記突片が嵌合され、前記サブハウジングが前記ハウジング本体に正しく組み付けられない場合に前記突片が嵌合しない嵌合穴が、前記壁部に形成されているものとしてもよい。このような構成によれば、サブハウジングの誤組み付けが検知されるから、確実にサブハウジングを正しく組み付けることができる。
【００１３】
また、本発明のコネクタは、前記突片が板状をなし、部分的に厚さ寸法が大きい厚肉部を備えているものとしてもよい。このような構成によれば、突片が補強されるから、確実にタブ部を保護することができる。
【００１４】
＜実施例＞
以下、本発明を具体化した一実施例について、図１〜図１２を参照しつつ詳細に説明する。
本実施例におけるコネクタＣは、タブ部１１を有するいわゆる雄型の端子金具１０を備えた雄型のコネクタである。端子金具１０は、金属製であり、電線Ｗの端末部に圧着されている。コネクタＣは、前方に開口するフード部２０を有するハウジング本体３０と、ハウジング本体３０に後方から組み付けられるサブハウジング４０と、フード部２０の内側に配されるムービングプレート５０と、コネクタＣと相手側コネクタ６０との嵌合及び離脱を操作する回動式のレバー７０と、を備えている。ハウジング本体３０には、相対的にサイズの大きい端子金具１０Ａが保持され、サブハウジング４０には、相対的にサイズの小さい端子金具１０Ｂが保持されている。
【００１５】
以下、各構成部材において、コネクタＣと相手側コネクタ６０の嵌合面側（コネクタＣは図１の左側、相手側コネクタ６０は図１の右側）をそれぞれ前方とし、また、図１の上側を上方、下側を下方として説明する。
【００１６】
ハウジング本体３０は、合成樹脂製であって、全体として上下方向に長いブロック形状をなしている。ハウジング本体３０は、複数の端子金具１０Ａを保持する端子保持部３１を有し、フード部２０は、端子保持部３１の前面に一体に連なって設けられている。
【００１７】
端子保持部３１及びサブハウジング４０には、端子金具１０Ａ，１０Ｂが収容されるキャビティ３２が設けられている。各キャビティ３２には、後方から端子金具１０Ａ，１０Ｂが挿入される。各キャビティ３２には、端子金具１０Ａ，１０Ｂを抜け止めする弾性撓み可能なランス３３が形成されている。
【００１８】
端子保持部３１には、サブハウジング４０が組み付けられるハウジング収容室３４が設けられている。ハウジング収容室３４は、ハウジング本体３０の上下方向（長手方向）における中央部に一つが設けられている。
【００１９】
ハウジング収容室３４は、サブハウジング４０と対応する断面形状をなし、端子保持部３１を前後方向に貫通している。ハウジング収容室３４は、サブハウジング４０の上下左右の面に沿う壁状部３５を有している。
【００２０】
壁状部３５には、図３に示すように、複数の受け溝３６が後方に開放されて形成されている。受け溝３６は、あり溝である。受け溝３６は、壁状部３５の左右の壁面のうち一方（図３では左側）の壁面に上下に一対が設けられている。各受け溝３６の前端部には、サブハウジング４０の前進を止める止め壁３７が設けられている。壁状部３５には、サブハウジング４０を抜け止めする抜け止め部３８が設けられている。
【００２１】
フード部２０は、端子保持部３１の周縁部から前方へ突出した上下方向に長い筒状をなしている（図２参照）。フード部２０は、長手方向に対向する一対の第１壁部２０Ｆと、短手方向に対向する一対の第２壁部２０Ｓとを備えている。
【００２２】
レバー７０は、図２に示すように、フード部２０の第２壁部２０Ｓの外面に沿う板状をなす一対のアーム部７１と、一対のアーム部７１を連結する操作部７２とを備えている。レバー７０は、アーム部７１に形成された図示しない軸受部に、第２壁部２０Ｓの外面に突設された図示しない軸部が嵌合されてなる回動軸を中心に回動可能とされている。レバー７０は、相手側コネクタ６０との嵌合前には初期位置（図１１参照）に保持され、嵌合完了位置（図１参照）に回動されることにより、相手側コネクタ６０とコネクタＣとが引き寄せられて正規嵌合に至る。
【００２３】
ムービングプレート５０は、フード部２０内においてハウジング収容室３４の前側に位置し、ハウジング収容室３４に組み付けられた状態のサブハウジング４０の端子金具１０Ｂのタブ部１１を保護するようになっている。
【００２４】
ムービングプレート５０は、図５に示すように、タブ部１１が挿通される挿通孔５１が貫通形成された壁部５２と、壁部５２の周縁から前方に突出する周壁部５３とを有している。ムービングプレート５０を正面から見ると方形状をなし、複数の挿通孔５１が上下左右に並列されている。壁部５２には、後述するサブハウジング４０の突片４４が嵌合する嵌合穴５４が形成されている。嵌合穴５４については後ほど詳しく説明する。
【００２５】
周壁部５３は、図５に示すように、角筒状をなし、上下方向に対向する一対の第１周壁５３Ｆと、左右方向に対向する一対の第２周壁５３Ｓとを備えている。一対の第２周壁５３Ｓの外面には、カム部５５が設けられている。カム部５５には、レバー７０のカム溝７３に係合する係合突起５６が設けられるとともに、相手側コネクタ６０のカムピン６１が嵌入される。ムービングプレート５０は、レバー７０の回動に伴ってフード部２０内を前後方向に移動する。
【００２６】
相手側コネクタ６０との嵌合前（レバー７０が初期位置にあるとき）には、図１１に示すように、ムービングプレート５０はフード部２０の開口側に近い前進位置に配される。前進位置では、壁部５２の挿通孔５１にタブ部１１の先端が貫通する。相手側コネクタ６０との正規嵌合状態（レバー７０が嵌合完了位置にあるとき）には、図１に示すように、ムービングプレート５０はフード部２０の奥側（端子保持部３１側）の後退位置に配される。後退位置では、壁部５２の挿通孔５１からタブ部１１の概ね全長が前方に突出し、相手側端子金具６５と電気的に接続される。
【００２７】
ムービングプレート５０は、図１１に示すように、フード部２０の上下方向における中間部に配され、フード部２０と周壁部５３との間には、相手側コネクタ６０が嵌合可能な嵌合部２１が形成されている。各嵌合部２１は、フード部２０とムービングプレート５０の周壁部５３とに囲まれてなる。各嵌合部２１には、端子保持部３１に保持された端子金具１０Ａのタブ部１１が配されている。
【００２８】
サブハウジング４０は、合成樹脂製であって、図６に示すように、全体として略角ブロック状をなしている。サブハウジング４０には、複数のキャビティ３２が上下左右に並列して設けられている。サブハウジング４０には、サイドタイプのリテーナ４１が装着されている。キャビティ３２に正規挿入された端子金具１０Ｂは、リテーナ４１によって二重に抜け止めがなされる。端子金具１０Ｂのタブ部１１は、サブハウジング４０の前面から前方に突出する。
【００２９】
サブハウジング４０の外面には、ハウジング収容室３４の受け溝３６に対応したリブ４２と、抜け止め部３８が係止する突部４３とが設けられている（図７参照）。リブ４２は、受け溝３６に整合した断面形状をなしている。複数のリブ４２は、サブハウジング４０がハウジング収容室３４に対して正しい向きで挿入される場合に、受け溝３６と対応する位置に配されている。サブハウジング４０がハウジング収容室３４に対して誤った向き（上下逆向き）のときには、リブ４２は受け溝３６から外れた位置に配され、ハウジング本体３０と接触し、組み付け動作が規制される。
【００３０】
サブハウジング４０の前面には、図６に示すように、前方に突出した突片４４が設けられている。突片４４は、サブハウジング４０の前面に略垂直、言い換えるとタブ部１１に略平行をなして突出している。突片４４は、タブ部１１が突出する領域（以後、単に領域４５と称する）の周りに、前方に突出して設けられている。領域４５は、図７において二点鎖線で示した領域であり、サブハウジング４０の前面のうち全てのタブ部１１が配された一つながりの領域、言い換えると、サブハウジング４０の前面においてタブ部１１が貫通する全ての貫通穴４９の形成部分を含む領域である。
【００３１】
突片４４は、領域４５の周りの一部に複数が設けられている。突片４４は、領域４５を囲む四隅に設けられている。具体的には、突片４４は、領域４５の上下両側に一対ずつが設けられ、サブハウジング４０の左右両端部に位置している。上側の突片４４及び下側の突片４４は、上下方向においては領域４５の上方及び下方に配されている。左右方向において左側（図７の左側）の突片４４の左端は、左端に位置するタブ部１１の左側面と同じ位置に配されている。左右方向において右側（図７の右側）の突片４４の右端は、右端に位置するタブ部１１の右側面より右方に配され、サブハウジング４０の右側面に至っている。
【００３２】
突片４４は、サブハウジング４０の外周面（上面及び下面）に沿って前方に突出し、正面から見ると、図７に示すように、横長の板状をなしている。各突片４４の幅寸法（左右方向の寸法）は、左右に並べられたキャビティ３２の２室分の幅寸法と同等の寸法とされ、サブハウジング４０の左右方向の全幅の概ね３分の１程度の寸法とされている。上側の突片４４は、サブハウジング４０の上面において一段上方に突出し、下側の突片４４は、サブハウジング４０の下面において一段下方に突出している。突片４４は、図６に示すように、サブハウジング４０の前後方向における中央部より若干後側まで延びている。突片４４のサブハウジング４０の前面からの突出寸法は、図１０に示すように、タブ部１１の突出寸法より大きくされている。全ての突片４４の突出寸法は同じである。
【００３３】
各突片４４には、図７に示すように、部分的に厚さ寸法が大きい厚肉部４６が備えられている。突片４４は、左右方向の一端側（図７の左側）に配された突片４４（以後、第１突片４４Ｆと称する）と他端側（図７の右側）に配された突片４４(以後、第２突片４４Ｓと称する）とは、厚肉部４６の形成位置が異なっている。第１突片４４Ｆは、左右方向における一端側（サブハウジング４０の左右方向における中央側）に厚肉部４６が設けられている。第２突片４４Ｓは、左右方向における両端部に厚肉部４６が設けられている。
【００３４】
上側の第１突片４４Ｆは、厚肉部４６が上方に突出し、下側の第１突片４４Ｆは、厚肉部４６が下方に突出している。上側の第２突片４４Ｓは、厚肉部４６が下方に突出し、下側の第２突片４４Ｓは、厚肉部４６が上方に突出している。各第２突片４４Ｓの厚肉部４６の間（左右方向における中央部）には、凹部４７が形成されている。上側の第２突片４４Ｓの角部には、斜めに切り欠かれた形態の切り欠き部４８が形成されている。
【００３５】
第１突片４４Ｆの厚肉部４６における上下方向の寸法（厚さ寸法）は、第２突片４４Ｓの厚肉部４６における上下方向の寸法より若干大きくされている。第１突片４４Ｆの厚肉部４６は、図６及び図８に示すように、第１突片４４Ｆより後方に延びサブハウジング４０の後端に至っている。
【００３６】
サブハウジング４０は、突部４３及び第２突片４４Ｓの切り欠き部４８を除き、概ね全体が上下方向の中心を基準に対称な形状をなしている。
【００３７】
ムービングプレート５０には、サブハウジング４０がハウジング本体３０に対して正しく組み付けられる場合に突片４４が嵌合され、サブハウジング４０がハウジング本体３０に正しく組み付けられない場合に突片４４が嵌合しない嵌合穴５４が、壁部５２に形成されている。
【００３８】
嵌合穴５４は、図５に示すように、突片４４の形状に整合した横方向に長いスリット状をなして、壁部５２を前後方向に貫通している。嵌合穴５４は、壁部５２の周縁部に設けられ、第１周壁５３Ｆの内面に沿って壁部５２の左右両端部に形成されている。嵌合穴５４は、第１周壁５３Ｆの内面に凹設された嵌合溝５７を有している。
【００３９】
嵌合穴５４は、図５に示すように、断面形状が異なる２種類が備えられている。すなわち、嵌合穴５４は、第１突片４４Ｆに対応した第１嵌合穴５４Ｆと、第２突片４４Ｓに対応した第２嵌合穴５４Ｓとを備えている。第１嵌合穴５４Ｆは、第１突片４４Ｆに整合した形状をなし、左右方向における一端部が厚肉部４６に対応して上方または下方に広くなった拡張部５８を有している。第２嵌合穴５４Ｓは、第２突片４４Ｓに整合した形状をなしている。第２嵌合穴５４Ｓは、左右方向の概ね全体にわたり、上下方向の寸法が第２突片４４Ｓの厚肉部４６を含む寸法とされている。なお、上側の第２嵌合穴５４Ｓは、第２突片４４Ｓの切り欠き部４８に対応した形状をなしている。
【００４０】
次に、本実施例のコネクタＣの組み付け作業の一例を説明する。
まず、ハウジング本体３０にサブハウジング４０を組み付ける（図１０参照）。このとき、ムービングプレート５０は前進位置に配されている。ハウジング本体３０のハウジング収容室３４に対して後方からサブハウジング４０を挿入する。ここで、サブハウジング４０が前後方向に対して斜めに傾いている場合、サブハウジング４０の突片４４がハウジング本体３０の壁状部３５に当接する。これにより、タブ部１１がハウジング本体３０に当接することが防がれ、タブ部１１がハウジング本体３０に接触して屈曲等の変形をする事態を回避できる。
【００４１】
サブハウジング４０が正規の挿入姿勢である場合、サブハウジング４０の各リブ４２がハウジング収容室３４の受け溝３６に適合するとともに、サブハウジング４０の突片４４がムービングプレート５０の嵌合穴５４に適合し、サブハウジング４０がハウジング収容室３４にスムーズに挿入される。挿入の過程では、リブ４２が受け溝３６に摺動し、また突片４４が嵌合穴５４の周面に摺動して、サブハウジング４０の挿入動作が案内される。
【００４２】
図１１に示すように、サブハウジング４０が正規の位置に挿入されると、リブ４２の前端が止め壁３７に当接してそれ以上の前進が制限されるとともに、抜け止め部３８と突部４３とが係止してサブハウジング４０の後退が制限される。これにより、サブハウジング４０はハウジング収容室３４に組み付けられた状態で保持される。このとき、サブハウジング４０の前面は端子保持部３１の前面と前後方向について概ね同じ位置に揃う。また、タブ部１１の先端はムービングプレート５０の挿通孔５１を貫通し、壁部５２の前方に配される。突片４４は、壁部５２の嵌合穴５４を貫通し、突片４４の前端は壁部５２より前方に位置する。突片４４は、周壁部５３の内側に重なって配される。
【００４３】
サブハウジング４０が誤った挿入姿勢（上下逆向きの姿勢）である場合、サブハウジング４０の各リブ４２がハウジング収容室３４の受け溝３６に適合せず、また、サブハウジング４０の突片４４がムービングプレート５０の嵌合穴５４に適合しないため、サブハウジング４０の挿入ができない。したがって、サブハウジング４０が誤った姿勢であることが検知され、サブハウジング４０は挿入姿勢を正されてから、改めてハウジング収容室３４に挿入される。
以上により、コネクタＣの組み付け作業が完了する。
【００４４】
次に、本実施例のコネクタＣと相手側コネクタ６０との嵌合作業の一例を説明する。
相手側コネクタ６０との嵌合前には、図１１に示すように、レバー７０を初期位置にセットするとともに、ムービングプレート５０を前進位置にセットした状態にしておく。
【００４５】
まず、相手側コネクタ６０をフード部２０に嵌合し、カムピン６１をムービングプレート５０のカム部５５及びレバー７０のカム溝７３に係合する。相手側コネクタ６０のサブハウジング６２は、ムービングプレート５０の周壁部５３の内側に嵌合する。すなわちムービングプレート５０の周壁部５３は、相手側コネクタ６０のハウジング本体６３とサブハウジング４０との間に形成された嵌合空間６４に挿入される。ここで、ムービングプレート５０の周壁部５３には、両コネクタＣ，６０の嵌合方向と交差する方向の力が作用するところ、サブハウジング４０の突片４４がムービングプレート５０の周壁部５３の内側に沿って配されているから、周壁部５３が変形したり斜めに傾くことが防がれる。これにより、相手側コネクタ６０のサブハウジング６２は、ムービングプレート５０の周壁部５３内にスムーズに嵌合される。
【００４６】
次に、レバー７０を初期位置から嵌合完了位置まで回動する。すると、ムービングプレート５０と相手側コネクタ６０とが一体となってフード部２０の奥側へ引き込まれ、両コネクタＣ，６０が正規の嵌合状態になる。ムービングプレート５０は、嵌合溝５７を突片４４に沿わせつつ後側に移動する。ムービングプレート５０は後退位置に至り、ムービングプレート５０の壁部５２の前面に相手側コネクタ６０の前面が当接又は近接し、壁部５２の後面にサブハウジング４０の前面が当接又は近接する。
【００４７】
こうして、両コネクタＣの嵌合作業が完了する。嵌合状態の両コネクタＣ，６０を離脱する場合には、レバー７０を嵌合完了位置から初期位置まで戻し方向に回動する。すると、嵌合時とは逆の動作を経て両コネクタＣ，６０が引き離される。
【００４８】
次に、上記のように構成された実施例の作用および効果について説明する。
本実施例のコネクタＣは、前方に開口するフード部２０を有するハウジング本体３０と、タブ部１１が前面から前方に突出するとともにハウジング本体３０に後方から組み付けられるサブハウジング４０と、フード部２０の内側に配されるとともにタブ部１１が挿通される挿通孔５１が形成された壁部５２を有するムービングプレート５０と、を備え、サブハウジング４０の前面には、タブ部１１が突出する領域４５の周りに、前方に突出した突片４４が設けられ、サブハウジング４０がハウジング本体３０に組み付けられた状態では、突片４４の前端が壁部５２の壁部５２より前方に位置するものである。この構成によれば、サブハウジング４０をハウジング本体３０に組み付ける際に、突片４４によりタブ部１１がハウジング本体３０に接触することを防ぐことができるから、タブ部１１を保護することができる。
【００４９】
また、ムービングプレート５０が、壁部５２の周縁から前方に突出する周壁部５３を有し、ハウジング本体３０が、フード部２０と周壁部５３との間に相手側コネクタ６０が嵌合可能な嵌合部２１を有し、突片４４が、周壁部５３の内側に重なって配される。この構成によれば、相手側コネクタ６０との嵌合時に、相手側コネクタ６０がムービングプレート５０の周壁部５３の内面及び外面に摺接するところ、周壁部５３の内側に突片４４が重なって配されているから、周壁部５３の変形を防ぐことができる。
【００５０】
また、突片４４が、領域４５の周りの一部に設けられ、周壁部５３の内側に配されるものである。この構成によれば、突片４４が周壁部５３の外側に配されるものに比して、コネクタＣをコンパクトにできる。
【００５１】
また、突片４４が、領域４５の周りに４つ設けられ、領域４５を囲む四隅に配されている。この構成によれば、タブ部１１が４つの突片４４によって四方を囲まれるから、タブ部１１の全周を突片４４によって一続きに囲わなくてもタブ部１１を保護できる。
【００５２】
また、サブハウジング４０がハウジング本体３０に対して正しく組み付けられる場合に突片４４が嵌合され、サブハウジング４０がハウジング本体３０に正しく組み付けられない場合に突片４４が嵌合しない嵌合穴５４が、壁部５２に形成されている。この構成によれば、サブハウジング４０の誤組み付けが検知されるから、確実にサブハウジング４０を正しく組み付けることができる。
【００５３】
また、突片４４が板状をなし、部分的に厚さ寸法が大きい厚肉部４６を備えている。この構成によれば、突片４４が補強されるから、確実にタブ部１１を保護することができる。
【００５４】
＜他の実施例＞
本発明は上記記述及び図面によって説明した実施例に限定されるものではなく、例えば次のような実施例も本発明の技術的範囲に含まれる。
（１）上記実施例では、突片４４が周壁部５３の内側に重なって配されるが、これに限らず、突片は周壁部の外側に重なって配されるものでもよい。
（２）上記実施例では、サブハウジング４０の前面からの突片４４の突出寸法がタブ部１１の突出寸法より大きくされているが、これに限らず、例えば突片の幅寸法（タブ部を囲う範囲）を増す等によりタブ部を保護できる場合には、突片の突出寸法はタブ部の突出寸法より小さくても良い。
（３）上記実施例では、突片４４の前端が壁部５２より前方に位置しているが、これに限らず、突片の前端が壁部より前方に突出しないで壁厚範囲内に位置するものとしてもよい。
（４）上記実施例では、本発明を、ムービングプレート５０が、壁部５２の周縁から前方に突出する周壁部５３を有している場合に適用した例を示したが、これに限らず、本発明は、ムービングプレートが周壁部を有さない場合であっても適用できる。
（５）上記実施例では、ハウジング本体３０が、フード部２０と周壁部５３との間に相手側コネクタ６０が嵌合可能な嵌合部２１を有している場合を例示したが、これに限らず、本発明は、このような嵌合部を有さない、すなわちフード部と周壁部との間に隙間がない場合であっても適用できる。
（６）上記実施例では、突片４４が、領域４５の周りの一部に設けられているが、これに限らず、突片は、周壁部の外側に配される場合には、領域の全周を一続きに連続して囲うように設けてもよい。
（７）上記実施例では、突片の数、配置位置また形状等を例示したが、これらは適宜変更することができる。
（８）上記実施例では、突片と嵌合穴とが、サブハウジングの誤組付けを検知する誤組付け防止機能を有しているが、突片と嵌合穴とは、必ずしもこのような機能を有さなくてもよい。
（９）上記実施例では、突片４４が厚肉部４６を備えているが、これに限らず、突片は厚肉部を備えない、すなわち全体が均一の厚さ寸法であってもよい。
（１０）上記実施例では、ムービングプレート５０の周壁部５３が一対の第１周壁５３Ｆ及び一対の第２周壁５３Ｓを備えているが、これに限らず、例えばカム部備えないものであれば、一対の第２壁部を有していなくてもよい。
【符号の説明】
【００５５】
Ｃ…コネクタ
１１…タブ部
２０…フード部
２１…嵌合部
３０…ハウジング本体
４０…サブハウジング
４４…突片
４５…タブ部が突出する領域
４６…厚肉部
５０…ムービングプレート
５１…挿通孔
５２…壁部
５３…周壁部
５４…嵌合穴
【図１】
2019175728.tif 000003
【図２】
2019175728.tif 000004
【図３】
2019175728.tif 000005
【図４】
2019175728.tif 000006
【図５】
2019175728.tif 000007
【図６】
2019175728.tif 000008
【図７】
2019175728.tif 000009
【図８】
2019175728.tif 000010
【図９】
2019175728.tif 000011
【図１０】
2019175728.tif 000012
【図１１】
2019175728.tif 000013
【図１２】
2019175728.tif 000014